(57)【特許請求の範囲】
【請求項１】
型のパターンを被成型物に転写するためのインプリント装置であって、
前記型又は前記被成形物を保持する移動体と、
前記移動体を載置するベース部材と、
前記移動体を前記ベース部材に対して浮揚させるために、前記移動体と前記ベース部材の間に流体を供給する浮揚流体供給手段と、
前記移動体の位置を変えるための変位手段と、
前記移動体と前記ベース部材との間をシールし閉じた空間を形成するためのシール部材と、前記移動体又は前記ベース部材に設けられ、前記シール部材を収納するための収納溝と、前記シール部材と前記収納溝との間を加圧又は減圧するか、あるいは前記シール部材と前記収納溝の底部側との間に磁力を作用させることによって前記シール部材を前記収納溝内の開口部側と底部側との間で移動させるためのシール部材移動手段と、前記移動体、前記ベース部材及び前記シール部材の間に形成された前記空間の流体を排出する流体排出手段と、を有し、前記移動体を前記ベース部材に吸着固定するための着脱機構と、
を具備することを特徴とするインプリント装置。
【請求項２】
前記型及び前記被成形物を内包すると共に前記移動体上に形成される減圧室用筐体と、当該減圧室用筐体内の減圧室を外部の雰囲気の圧力以下に減圧する減圧手段とを有し、前記着脱機構による前記移動体と前記ベース部材との間の吸着力および前記移動体の自重による力の和が、前記減圧室による移動体の吸着力よりも大きく形成されることを特徴とする請求項１記載のインプリント装置。
【請求項３】
前記浮揚流体供給手段と前記流体排出手段は、流体の供給又は排出を行う共通の流体給排口を有することを特徴とする請求項１又は２記載のインプリント装置。
【請求項４】
ベース部材に対する移動体の位置を調節するためのアライメント機構であって、
前記移動体を前記ベース部材に対して浮揚させるために、前記移動体と前記ベース部材の間に流体を供給する浮揚流体供給手段と、
前記移動体の位置を変えるための変位手段と、
前記移動体と前記ベース部材との間をシールし閉じた空間を形成するためのシール部材と、前記移動体又は前記ベース部材に設けられ、前記シール部材を収納するための収納溝と、前記シール部材と前記収納溝との間を加圧又は減圧するか、あるいは前記シール部材と前記収納溝の底部側との間に磁力を作用させることによって前記シール部材を前記収納溝内の開口部側と底部側との間で移動させるためのシール部材移動手段と、前記移動体、前記ベース部材及び前記シール部材の間に形成された前記空間の流体を排出する流体排出手段と、を有し、前記移動体を前記ベース部材に吸着固定するための着脱機構と、
を具備することを特徴とするアライメント機構。
【請求項５】
前記浮揚流体供給手段と前記流体排出手段は、流体の供給又は排出を行う共通の流体給排口を有することを特徴とする請求項４記載のアライメント機構。
【請求項６】
移動体をベース部材に吸着固定するための着脱機構であって、
前記移動体と前記ベース部材との間をシールし閉じた空間を形成するためのシール部材と、
前記移動体又は前記ベース部材に設けられ、前記シール部材を収納するための収納溝と、
前記シール部材と前記収納溝との間を加圧又は減圧するか、あるいは前記シール部材と前記収納溝の底部側との間に磁力を作用させることによって前記シール部材を前記収納溝内の開口部側と底部側との間で移動させるためのシール部材移動手段と、
前記移動体、前記ベース部材及び前記シール部材の間に形成された前記空間内の流体を排出する流体排出手段と、
を具備することを特徴とする着脱機構。
【請求項７】
前記空間内に流体を供給する脱離用流体供給手段を具備することを特徴とする請求項６記載の着脱機構。
【発明の詳細な説明】
【技術分野】
【０００１】
本発明は、インプリント装置及びこれに用いるアライメント機構又は着脱機構に関する。
【背景技術】
【０００２】
インプリント技術によって所定のパターンを形成する場合、アプリケーションによっては、パターンを転写する位置をＸ−Ｙ−θ方向に微調整する必要がある。当該位置合わせは、従来、ピエゾ素子やリニアガイドなどを用いて行っていた（例えば、特許文献１参照）。
【先行技術文献】
【特許文献】
【０００３】
【特許文献１】特許公開２００９−３０２０８８号公報
【発明の概要】
【発明が解決しようとする課題】
【０００４】
しかしながら、被成形物への転写面積が大型化すると、ピエゾ素子による移動量が小さいため、ピエゾ素子による微動機構とは別に、粗動機構も必要となり、装置が複雑になるという問題があった。
【０００５】
そこで本発明では、簡単な構造で容易に位置調節を行うことができるインプリント装置及びこれに用いるアライメント機構又は着脱機構を提供することを目的とする。
【課題を解決するための手段】
【０００６】
本発明のインプリント装置は、型のパターンを被成型物に転写するためのものであって、前記型又は前記被成形物を保持する移動体と、前記移動体を載置するベース部材と、前記移動体を前記ベース部材に対して浮揚させるために、前記移動体と前記ベース部材の間に流体を供給する浮揚流体供給手段と、前記移動体の位置を変えるための変位手段と、前記移動体を前記ベース部材に吸着固定するための着脱機構と、を具備する。また、当該着脱機構は、前記移動体と前記ベース部材との間をシールし閉じた空間を形成するためのシール部材と、前記移動体又は前記ベース部材に設けられ、前記シール部材を収納するための収納溝と、前記シール部材を前記収納溝内で移動させるためのシール部材移動手段と、前記移動体、前記ベース部材及び前記シール部材の間に形成された前記空間の流体を排出する流体排出手段と、を有することを特徴とする。
【０００７】
ここで、前記型及び前記被成形物を内包すると共に前記移動体上に形成される減圧室用筐体と、当該減圧室用筐体内の減圧室を外部の雰囲気の圧力以下に減圧する減圧手段とを有する場合には、前記着脱機構による前記移動体と前記ベース部材との間の吸着力および前記移動体の自重による力の和が、前記減圧室による移動体の吸着力よりも大きくなるように形成される。
【０００８】
また、前記浮揚流体供給手段と前記流体排出手段は、流体の供給又は排出を行う共通の流体給排口を有しても良い。
【０００９】
また、本発明のアライメント機構は、ベース部材に対する移動体の位置を調節するためのものであって、前記移動体を前記ベース部材に対して浮揚させるために、前記移動体と前記ベース部材の間に流体を供給する浮揚流体供給手段と、前記移動体の位置を変えるための変位手段と、前記移動体を前記ベース部材に吸着固定するための着脱機構と、を具備する。また、当該着脱機構は、前記移動体と前記ベース部材との間をシールし閉じた空間を形成するためのシール部材と、前記移動体又は前記ベース部材に設けられ、前記シール部材を収納するための収納溝と、前記シール部材を前記収納溝内で移動させるためのシール部材移動手段と、前記移動体、前記ベース部材及び前記シール部材の間に形成された前記空間の流体を排出する流体排出手段と、を有することを特徴とする。
【００１０】
この場合、前記浮揚流体供給手段と前記流体排出手段は、流体の供給又は排出を行う共通の流体給排口を有しても良い。
【００１１】
また、本発明の着脱機構は、移動体をベース部材に吸着固定するための着脱機構であって、前記移動体と前記ベース部材との間をシールし閉じた空間を形成するためのシール部材と、前記移動体又は前記ベース部材に設けられ、前記シール部材を収納するための収納溝と、前記シール部材を前記収納溝内で移動させるためのシール部材移動手段と、前記移動体、前記ベース部材及び前記シール部材の間に形成された前記空間内の流体を排出する流体排出手段と、を具備することを特徴とする。
【００１２】
この場合、前記空間内に流体を供給する流体供給手段を具備しても良い。
【発明の効果】
【００１３】
本発明の着脱機構は、流体排出手段による吸引力と押圧手段による押圧力によって、シール部材を移動体とベース部材との間に密着させることができるので、移動体とベース部材の間を確実にシールして吸着固定することができる。また、吸着固定をしていない時には、シール部材が収納溝内に収納されるため、エアベアリングと共に用いても、ベース部材に対する移動体の移動を円滑に行うことができる。したがって、この着脱機構をインプリント装置等のアライメント機構に用いることにより、位置合わせと固定を非常に簡単に行うことができる。
【図面の簡単な説明】
【００１４】
【図１】本発明の着脱機構の吸着時の状態を示す概略断面図である。
【図２】本発明の着脱機構の吸着解除時の状態を示す概略断面図である。
【図３】本発明の別の着脱機構を示す概略断面図である。
【図４】本発明のアライメント機構を示す概略断面図である。
【図５】本発明のインプリント装置を示す概略断面図である。
【図６】移動用定盤を示す概略平面図である。
【図７】Ｘ−Ｙ方向移動体を示す概略平面図である。
【発明を実施するための形態】
【００１５】
本発明の着脱機構は、図１に示すように、移動体２をベース部材１に吸着固定するためのものであって、移動体２とベース部材１との間をシールし閉じた空間を形成するためのシール部材３と、移動体２又はベース部材１に設けられ、シール部材３を収納するための収納溝４と、シール部材３を収納溝４内で移動させるためのシール部材移動手段５と、移動体２、ベース部材１及びシール部材３の間に形成された空間内の流体を排出する流体排出手段６と、で主に構成される。
【００１６】
ここで移動体２とは、ベース部材１に対して移動可能なものを指し、ベース部材１は、移動体２を固定するものを指す。例えば、アライメント機構であれば、位置の調節時にベース部材１に対して移動体２を移動して位置を変え、位置を決定した時には、ベース部材１に対し移動体２を固定することになる。
【００１７】
シール部材３は、移動体２とベース部材１との間をシールし閉じた空間を形成できるものであればどのようなものでも良く、例えば、弾性力のあるＯリングを環状にしたものを用いれば良い。また、着脱機構が移動体２を固定する吸着力は、Ｏリングで囲まれた環の大きさ（面積）によって決まるため、当該Ｏリングの環の大きさ（面積）は、着脱機構が移動体２を固定する際に必要な吸着力に応じて適宜決定すれば良い。
【００１８】
収納溝４は、シール部材３を収納できると共に、シール部材移動手段５によってシール部材３を開口部41側に移動できる大きさに形成されればどのような形状でも良く、例えば、断面矩形状やＵ字状に形成される。また、シール部材３と同様に、ベース部材１又は移動体２に環状に形成される。なお、収納溝４は、図１に示すようにベース部材１側に設けても良いし、図３に示すように移動体２側に設けても良い。
【００１９】
シール部材移動手段５は、収納溝４内に配置されたシール部材３を収納溝４内の開口部41側と底部42側との間で移動させ、移動体２とベース部材１との間を密閉したり開放したりするためのものである。シール部材移動手段５としては、例えば、収納溝４内に流体圧を負荷することによりシール部材３を収納溝４の開口部41側と底部42側との間で移動させる流体圧負荷手段や、電磁石等の磁力によりシール部材３を収納溝４の開口部41側と底部42側との間で移動させる磁力負荷手段等を用いることができる。もちろん、シール部材移動手段５は、収納溝４内に配置されたシール部材３を収納溝４内の開口部41側と底部42側との間で移動させることができれば、これ以外のものを用いることも可能である。
【００２０】
流体圧負荷手段を用いる場合には、例えば、収納溝４の底部42に収納溝４内へ気体を供給する収納溝部気体供給口を設け、当該収納溝部気体供給口に接続されたエアコンプレッサーや圧縮ボンベ等の収納溝部給気手段51を調節して空気等の気体を供給する。これにより、収納溝４とシール部材３との間が加圧され、シール部材３を開口部41側に移動することができる。また、収納溝４の底部42に収納溝４内の気体を排気する収納溝部気体排気口を設け、当該収納溝部気体排気口に接続された真空ポンプ等の収納溝部排気手段52を調節して空気等の気体を排気する。これにより、収納溝４とシール部材３との間が減圧され、シール部材３を底部42側に移動することができる。収納溝４とシール部材３の大きさは、収納溝４内をシール部材３が移動でき、かつ収納溝４内で気体の供給又は排気を行った際に、気体が漏れない大きさが望ましい。なお、収納溝部気体供給口と収納溝部気体排気口は、それぞれ独立して設けても良いが、図１に示すように、気体の供給又は排出を行う共通の収納溝部気体給排口53を設けても良い。
【００２１】
また、磁力負荷手段を用いる場合には、図示しないが、例えば、シール部材３に固定された永久磁石と、収納溝４の底部42側に配置され、当該永久磁石を引力又は斥力によって移動させる電磁石を用いれば良い。これにより、永久磁石と電磁石を反発させればシール部材３が収納溝４内を開口部41側に移動して、ベース部材１と移動体２の間を密閉することができる。また、電磁石で永久磁石を引き寄せ、シール部材３が収納溝４内を底部42側に移動すれば、ベース部材１と移動体２の間が開放される。
【００２２】
流体排出手段６は、ベース部材１、移動体２及びシール部材３の間に形成された空間内の流体を排出することにより、移動体２をベース部材１に吸着固定するためのものである。例えば、空間内の空気を排出するには、移動体２又はベース部材１のシール部材３で囲まれている部分に排気口を形成し、当該排気口に接続された真空ポンプ等の排気手段を用いて減圧すれば良い。また、流体排出手段６は、図１に示すようにベース部材１側に設けても良いし、図３に示すように移動体２側に設けても良い。
【００２３】
なお、ベース部材１に固定した移動体２を簡単に脱離させるために、空間内に流体を供給する脱離用流体供給手段７を設けるようにしても良い。例えば移動体２又はベース部材１のシール部材３で囲まれる面に脱離用気体供給口を設け、当該脱離用気体供給口に接続されたエアコンプレッサーや圧縮ボンベ等を調節して空気等の気体を供給するものを用いることができる。また、流体排出手段６の排気口と流体供給手段７の脱離用気体供給口は、それぞれ独立して設けても良いが、流体の供給又は排出を行う共通の流体給排口61を設けても良い。例えば、気体の供給を行う脱離用気体供給口と、気体の排出を行う排気口とを共通にした気体給排口61を設け、これに給気手段と排気手段とを接続すれば良い。
【００２４】
このように構成された着脱機構は、ベース部材１に対して移動体２を固定する場合には、まず、流体排出手段６を作動させて、ベース部材１と移動体２の間に存在する空気等の気体を排気する。次に、収納溝部給気手段51を調節して空気等の気体を収納溝４に供給すると、シール部材３が収納溝４内を底部42側から開口部41側に移動する。すると、シール部材３は、収納溝４内の加圧力と流体排出手段６の吸引力によって、ベース部材１と移動体２の間を密閉し、ベース部材１及び移動体２の間に形成された空間内の流体が排出される。これにより、移動体２は、ベース部材１に確実に固定される（図１参照）。
【００２５】
また、ベース部材１と移動体２を脱離する場合には、流体排出手段６を停止し、収納溝部排気手段52を調節して空気等の気体を収納溝４内から排気すると、シール部材３が収納溝４内を開口部41側から底部42側に移動する。すると、ベース部材１及び移動体２の間に形成された空間内に気体が侵入し、吸着力が解除される。（図２参照）。なお、この際、脱離用流体供給手段７を用いて、空間内に流体を供給するようにしても良い。
【００２６】
次に、図４を用いて、本発明のアライメント機構について説明する。本発明のアライメント機構は、移動体２とベース部材１の位置を調節するためのものであって、移動体２をベース部材１に対して浮揚させるために、移動体２とベース部材１の間に流体を供給する浮揚流体供給手段８と、移動体２の位置を変えるための変位手段９と、移動体２をベース部材１に吸着固定するための着脱機構と、で主に構成される。また、着脱機構は、移動体２をベース部材１に吸着固定するためのものであって、移動体２とベース部材１との間をシールし閉じた空間を形成するためのシール部材３と、移動体２又はベース部材１に設けられ、シール部材３を収納するための収納溝４と、シール部材３を収納溝４内で移動させるためのシール部材移動手段５と、移動体２、ベース部材１及びシール部材３の間に形成された空間内の流体を排出する流体排出手段６と、で主に構成される。ここで、着脱機構については、上述した本発明の着脱機構と同様の構成であるので、同一の部分には同一符号を付して説明は省略する。
【００２７】
浮揚流体供給手段８は、移動体２をベース部材１に対して浮揚させ、移動体２をベース部材１に対してスムーズに移動させることができるものであればどのようなものでも良く、例えばエアベアリングのように移動体２又はベース部材１のいずれか一方又は両方に１以上の浮揚気体供給口を設け、当該浮揚気体供給口に接続されたエアコンプレッサーや圧縮ボンベ等を調節して空気等の気体を供給するものを用いることができる。この浮揚流体供給手段８は、浮揚気体供給口を移動体２又はベース部材１のシール部材３で囲まれる面に設ければ、ベース部材１に固定した移動体２を脱離させるために用いることも可能である。
【００２８】
また、流体排出手段６と浮揚流体供給手段８は、それぞれ独立して設けても良いが、流体の供給又は排出を行う共通の流体給排口を設けても良い。例えば、流体の供給を行う浮揚気体供給口と、流体の排出を行う排気口とを共通にした気体給排口81を設け、これに給気手段と排気手段とを接続すれば良い。
【００２９】
変位手段９は、流体供給手段８によって浮揚させた移動体２の位置を変えるためのもので、例えば、精密なねじ機構を使って、ねじの回転角に応じた直線方向の変位を調節することができるマイクロメーター98と、マイクロメーター98が移動体２を押す方向と対向する方向（図４では、ばねの引張方向）に弾性力を付勢するばね99を用いることができる。これにより、マイクロメーター98を調節することで、移動体２を一定方向に変位させることができる。この場合、移動体２を一定方向に案内するリニアガイド等の移動方向案内手段を用いれば、より正確に一定方向に変位させることができる。また、このマイクロメーターとばねの組み合わせを２組用いることにより、移動体２を平面方向に自由に変位させることができる。また、ベース部材１の中央部に回転軸となるピボットを設け、対向する移動体２に当該ピボットと係合する穴を形成し、マイクロメーターとばねを用いて回転させても良い。これにより移動体２をベース部材１に対して回転方向に変位させることもできる。もちろん、移動体２側にピボットを設けベース部材１側に穴を設けることも可能である。
【００３０】
また、移動体をベース部材として更にその上に別の移動体を設けることも可能である。例えば、ベース部材上にＸ-Ｙ方向移動体を設けて、Ｘ-Ｙ方向移動体をベース部材に対して平面方向に変位させることができるアライメント機構を形成する。そして、更にθ方向移動体をＸ-Ｙ方向移動体上に配置して、θ方向移動体をＸ-Ｙ方向移動体に対して回転方向に変位させることができるアライメント機構を形成する。これにより、複数方向への変位を可能とすることができる。また、第１の移動体で粗い位置調整を行い、第２の移動体で微細な位置調整を行うようにしても良い。
【００３１】
このように構成されたアライメント機構において位置を調節する場合には、着脱機構の収納溝部排気手段52を調節して空気等の気体を収納溝４内から排気する。すると、シール部材３が収納溝４内を開口部41側から底部42側に移動する。次に、浮揚流体供給手段８を作動させて、流体給排口81から気体を供給し、移動体２をベース部材１に対して浮揚させる。その後、マイクロメーター98を調節することにより、移動体２をマイクロメーター98の押圧方向又はばね99の引張方向に変位させればよい。また、位置を決定したい場合には、浮揚流体供給手段８を停止し、流体排出手段６を作動させて、ベース部材１と移動体２の間に存在する空気等の気体を排気する。次に、収納溝部給気手段51を調節して空気等の気体を収納溝４に供給すると、シール部材３が収納溝４内を底部42側から開口部41側に移動する。すると、シール部材３は、収納溝４内の加圧力と流体排出手段６の吸引力によって、ベース部材１と移動体２の間を密閉し、ベース部材１及び移動体２の間に形成された空間内の気体が排出される。これにより、移動体２は、ベース部材１に固定され、位置決めが完了する（図４参照）。
【００３２】
次に、本発明のインプリント装置について説明する。本発明のインプリント装置は、型のパターンを被成型物に転写するためのものであって、型又は被成形物を保持するための移動体と、前記移動体を載置するベース部材と、移動体をベース部材に対して浮揚させるために、移動体とベース部材の間に流体を供給する浮揚流体供給手段と、移動体をベース部材に吸着固定するための着脱機構と、で主に構成される。また、着脱機構は、移動体をベース部材に吸着固定するためのものであって、移動体とベース部材との間をシールし閉じた空間を形成するためのシール部材と、移動体又はベース部材に設けられ、シール部材を収納するための収納溝と、シール部材を収納溝内で移動させるためのシール部材移動手段と、移動体、ベース部材及びシール部材の間に形成された空間内の流体を排出する流体排出手段と、で主に構成される。
【００３３】
まず、一般的なインプリント装置について説明する。インプリント装置には、熱エネルギーを利用して、型のパターンを少なくとも転写面が熱可塑性樹脂からなる被成形物に転写する熱インプリント装置と、光エネルギーを利用して、型のパターンを少なくとも転写面が光硬化性樹脂からなる被成形物に転写する光インプリント装置とがある。
【００３４】
熱インプリント装置は、型を保持する型保持部と、被成形物を保持する被成形物保持部と、型又は被成形物を加熱する加熱手段と、型と被成形物を加圧する加圧手段と、で主に構成される。また、これに型又は被成形物を冷却する冷却手段や、型と被成形物を離型する離型手段を有するものもある。
【００３５】
光インプリント装置は、型を保持する型保持部と、被成形物を保持する被成形物保持部と、被成形物に光を照射する光照射手段と、型と被成形物を加圧する加圧手段と、で主に構成される。また、これに型又は被成形物を加熱する加熱手段や、型と被成形物を離型する離型手段を有するものもある。
【００３６】
このようなインプリント装置においては、アライメント機構を用いて、被成形物に対し、型のパターンを転写する位置を調節する場合がある。その場合には、少なくとも上述した型保持部と被成形物保持部のいずれか一方を載置する移動体をベース部材に対して変位させる本発明のアライメント機構を適用すれば良い。
【００３７】
以下に、本発明のアライメント機構を二つ適用し、Ｘ，Ｙ，θ方向の位置を調節するインプリント装置について、図５〜図７を用いて具体的に説明する。
【００３８】
ベース部材11は、図５に示すように、平面状の第１ベース部材11Ａと、第１のベース部材よりも平面方向の大きさが小さい正方形状に形成された第２ベース部材11Ｂとで構成されており、その上面側に第２ベース部材11Ｂよりも平面方向の大きさが大きい略八角形状のＸ-Ｙ方向移動体21が配置される。また、ベース部材11の上面には、Ｘ-Ｙ方向移動体21とベース部材11との間をシールし閉じた空間を形成するためのシール部材３Ａと、シール部材３Ａを収納するための収納溝４Ａと、Ｘ-Ｙ方向移動体21とベース部材11の間に気体を供給したり、Ｘ-Ｙ方向移動体21とベース部材11の間の気体を排気する気体給排口81Ａが設けられている。
【００３９】
また、ベース部材11には、シール部材３Ａを収納溝４Ａ内で移動させるための第１流体圧負荷手段（シール部材移動手段）が設けられている。第１流体圧負荷手段は、収納溝４Ａの底部に収納溝４Ａ内の気体を供給又は排気する収納溝部気体給排口を設け、当該収納溝部気体給排口に接続されたエアコンプレッサー（収納溝部給気手段）を調節して空気等の気体を供給したり、真空ポンプ等の収納溝部排気手段を調節して気体を排気する。これにより、収納溝４Ａとシール部材３Ａとの間が加圧又は減圧され、シール部材３Ａを開口部側と底部側との間で移動させることができる。
【００４０】
また、気体給排口81Ａは、Ｘ-Ｙ方向移動体21をベース部材11に対して浮揚させるために、Ｘ-Ｙ方向移動体21とベース部材11の間に流体を供給する第１浮揚流体供給手段（図示せず）と、Ｘ-Ｙ方向移動体21、ベース部材11及びシール部材３Ａの間に形成された空間内の気体を排気する第１の流体排出手段（図示せず）に接続されている。
【００４１】
また、第１ベース部材11ＡとＸ-Ｙ方向移動体21の間には、ベース部材11に対してＸ-Ｙ方向移動体21を図６のＸ方向及びＹ方向に任意の距離移動させるための第１の変位手段が配置される。第１の変位手段は、移動用定盤20と、Ｘ方向リニアガイド91と、Ｘ方向マイクロメーター92と、Ｘ方向ばね93と、Ｙ方向リニアガイド94と、Ｙ方向マイクロメーター95と、Ｙ方向ばね（図示せず）と、で主に構成される。
【００４２】
移動用定盤20は、外形がＸ-Ｙ方向移動体21と略同形で、中央部に第２ベース部材11Ｂを挿入可能な穴を有する。また、移動用定盤20は、第１ベース部材11Ａに固定されたＸ方向リニアガイド91と下面側で連結されており、図６のＸ方向にのみ移動可能である。また、第１ベース部材11Ａに固定され、精密なねじ機構を使って、ねじの回転角に応じたＸ方向の変位を移動用定盤20に与えることができるＸ方向マイクロメーター92と、Ｘ方向マイクロメーター92が移動用定盤20を押す方向と対向する方向に弾性力を付勢するＸ方向ばね93とによって、移動用定盤20及びこれに連結されたＸ-Ｙ方向移動体21を精密にＸ方向に変位させることができる。
【００４３】
また、移動用定盤20は、Ｙ方向リニアガイド94が上面側に固定されており、当該Ｙ方向リニアガイド94上には、Ｘ-Ｙ方向移動体21が連結されている。これにより、Ｘ-Ｙ方向移動体21は、移動用定盤20に対して図６のＹ方向にのみ移動する。また、移動用定盤20に固定され、精密なねじ機構を使って、ねじの回転角に応じたＹ方向の変位をＸ-Ｙ方向移動体21に固定された当接ブロック96を介してＸ-Ｙ方向移動体21に与えることができるＹ方向マイクロメーター95と、Ｙ方向マイクロメーター95がＸ-Ｙ方向移動体21を押す方向と対向する方向に弾性力を付勢するＹ方向ばね（図示せず）とによって、Ｘ-Ｙ方向移動体21を精密にＹ方向に変位させることができる。
【００４４】
Ｘ-Ｙ方向移動体21の上面には、Ｘ-Ｙ方向移動体21とθ方向移動体22との間をシールし閉じた空間を形成するためのシール部材３Ｂと、シール部材３Ｂを収納するための収納溝４Ｂと、Ｘ-Ｙ方向移動体21とθ方向移動体22の間に気体を供給したり、Ｘ-Ｙ方向移動体21とθ方向移動体22の間の気体を排気する気体給排溝81Ｂが設けられている。
【００４５】
また、Ｘ-Ｙ方向移動体21には、シール部材３Ｂを収納溝４Ｂ内で移動させるための第２流体圧負荷手段（シール部材移動手段）が設けられている。第２流体圧負荷手段は、収納溝４Ｂの底部に収納溝４Ｂ内の気体を供給又は排気する収納溝部気体給排口を設け、当該収納溝部気体給排口に接続されたエアコンプレッサー（収納溝部給気手段）を調節して空気等の気体を供給したり、真空ポンプ等の収納溝部排気手段を調節して気体を排気する。これにより、収納溝４Ｂとシール部材３Ｂとの間が加圧又は減圧され、シール部材３Ｂを開口部側と底部側との間で移動させることができる。
【００４６】
また、気体給排溝81Ｂは、θ方向移動体22をＸ-Ｙ方向移動体21に対して浮揚させるために、θ方向移動体22とＸ-Ｙ方向移動体21の間に流体を供給する第２浮揚流体供給手段（図示せず）と、θ方向移動体22、Ｘ-Ｙ方向移動体21及びシール部材３Ｂの間に形成された空間内の気体を排気する第２の流体排出手段（図示せず）に接続されている。
【００４７】
また、Ｘ-Ｙ方向移動体21の上面側中央部にはピボット110が形成され、θ方向移動体22の下面側中央部には、当該ピボット110と係合する穴が形成される。これにより、θ方向移動体22は、ピボット110を回転軸として、図７のθ方向に回転することができる。
【００４８】
また、Ｘ-Ｙ方向移動体21とθ方向移動体22の間には、Ｘ-Ｙ方向移動体21に対してθ方向移動体22を図７のθ方向に任意の角度回転させるための変位手段が配置される。第２の変位手段は、θ方向マイクロメーター112とθ方向ばね113とで主に構成される。θ方向マイクロメーター112は、Ｘ-Ｙ方向移動体21に固定され、精密なねじ機構を使って、ねじの回転角に応じたθ方向の変位をθ方向移動体22に固定された当接ブロック111を介してθ方向移動体22に与えることができる。また、θ方向ばね113は、θ方向マイクロメーター112がθ方向移動体22を回転させる方向と逆方向に弾性力を付勢する。これにより、θ方向移動体22を精密にθ方向に変位させることができる。
【００４９】
このθ方向移動体22の上部には、被成形物200を保持するための被成形物保持手段201が固定されている。また、型100を保持する型保持手段101は、図示しないがベース部材11に対してＸ方向、Ｙ方向、θ方向の位置が固定可能に形成されている。したがって、Ｘ方向マイクロメーター92、Ｙ方向マイクロメーター95、θ方向マイクロメーター112を調節することによって、被成形物保持手段201に保持された被成形物200と、型保持手段101に保持された型100の位置合わせを正確に行うことができる。
【００５０】
なお、インプリント装置によっては、型100又は被成形物200の周囲の雰囲気を制御するために、型100及び被成形物200を内包すると共にθ方向移動体22上に形成される減圧用筐体300と、減圧用筐体300内の減圧室を外部の雰囲気の圧力以下に減圧するための減圧手段とを具備する場合がある。この場合には、減圧用筐体300がθ方向移動体22、更には当該θ方向移動体22と固定されているＸ−Ｙ方向移動体21を吸着してしまい、位置ずれを生じるおそれがある。そこで、減圧用筐体300がθ方向移動体22を吸着する力より、θ方向移動体22とＸ−Ｙ方向移動体21の間に働く吸着力及びＸ−Ｙ方向移動体21の上面に加わる重力の和が大きくなるように形成する必要がある。同様に、減圧用筐体300がθ方向移動体22を吸着する力より、Ｘ−Ｙ方向移動体21と第２ベース部材11Ｂの間に働く吸着力及び第２のベース部材11Ｂの上面に加わる重力の和が大きくなるように形成する必要がある。
【００５１】
次に上述したインプリント装置のアライメント方法について説明する。
【００５２】
位置を調節する前には、第１の流体排出手段の作動によって第２ベース部材11ＢとＸ−Ｙ方向移動体21の間の気体が気体給排口81Ａから排気されている。また、第１流体圧負荷手段の作動により、収納溝４Ａ内に気体が供給されて加圧され、シール部材３ＡがＸ−Ｙ方向移動体21側に押圧されている。これにより、Ｘ−Ｙ方向移動体21は第２ベース部材11Ｂに吸着固定されている。
【００５３】
また、第２の流体排出手段の作動によってＸ−Ｙ方向移動体21とθ方向移動体22の間の気体が気体給排溝81Ｂから排気されている。また、第２流体圧負荷手段の作動により、収納溝４Ｂ内に気体が供給されて加圧され、シール部材３Ｂがθ方向移動体22側に押圧されている。これにより、θ方向移動体22はＸ−Ｙ方向移動体21に吸着固定されている。
【００５４】
Ｘ−Ｙ方向の位置を調節する際には、第１流体圧負荷手段の作動により、収納溝４Ａ内の気体を排気して減圧し、シール部材３Ａを収納溝４Ａ内に収納する。次に、第１浮揚流体供給手段の作動によって第２ベース部材11ＢとＸ−Ｙ方向移動体21の間に空気等の気体が気体給排口81Ａから供給され、第２ベース部材11Ｂに対しＸ−Ｙ方向移動体21が浮揚する。ここで、Ｘ方向マイクロメーター92及びＹ方向マイクロメーター95を調節すると、Ｘ−Ｙ方向移動体21及びその上に固定されているθ方向移動体22及び被成形物保持手段210がＸ方向又はＹ方向に移動し、型100に対する被成形物200のＸ−Ｙ方向の位置を調節することができる。
【００５５】
Ｘ−Ｙ方向の位置を調節したら、第１浮揚流体供給手段の作動を停止し、第１の流体排出手段を作動させ、第２ベース部材11ＢとＸ−Ｙ方向移動体21の間の気体を気体給排口81Ａから排気する。また、第１流体圧負荷手段が作動し、収納溝４Ａ内に気体が供給されて加圧され、シール部材３ＡがＸ−Ｙ方向移動体21側に押圧される。これにより、Ｘ−Ｙ方向移動体21は第２ベース部材11Ｂに吸着固定されＸ−Ｙ方向の位置が固定される。
【００５６】
θ方向の位置を調節する際には、第２流体圧負荷手段の作動により、収納溝４Ｂ内の気体を排気して減圧し、シール部材３Ｂを収納溝４Ｂ内に収納する。次に、第２浮揚流体供給手段の作動によってＸ−Ｙ方向移動体21とθ方向移動体22の間に空気等の気体が気体給排溝81Ｂから供給され、Ｘ−Ｙ方向移動体21に対しθ方向移動体22が浮揚する。ここで、θ方向マイクロメーター112を調節すると、θ方向移動体22及びその上に固定されている被成形物保持手段210がθ方向に回転し、型100に対する被成形物200のθ方向（ピボット110を軸とする回転方向）の位置を調節することができる。
【００５７】
θ方向の位置を調節したら、第２浮揚流体供給手段の作動を停止し、第２流体排出手段を作動させ、Ｘ−Ｙ方向移動体21とθ方向移動体22の間の気体を気体給排溝81Ｂから排気する。また、第２流体圧負荷手段が作動し、収納溝４Ｂ内に気体が供給されて加圧され、シール部材３Ｂがθ方向移動体22側に押圧される。これにより、θ方向移動体22はＸ−Ｙ方向移動体21に吸着固定されθ方向の位置が固定される。
【符号の説明】
【００５８】
１    ベース部材
２    移動体
３    シール部材
４    収納溝
５    シール部材移動手段
６    流体排出手段
７    脱離用流体供給手段
８    浮揚流体供給手段
９    変位手段
61    流体給排口
81    流体給排口
100    型
200    被成形物
300    減圧用筐体
【図１】
0005719551.tif 000002
【図２】
0005719551.tif 000003
【図３】
0005719551.tif 000004
【図４】
0005719551.tif 000005
【図５】
0005719551.tif 000006
【図６】
0005719551.tif 000007
【図７】
0005719551.tif 000008